(57)【要約】本発明のプログラムは、ある投稿を読んだ人がその投稿の内容を他の人に容易に拡散することを可能にする投稿アプリケーションのためのプログラムであり、プログラムは、ユーザによって使用されるユーザ装置において実行され、ユーザ装置は、プロセッサ部を備え、プログラムは、投稿の内容を表す投稿情報を生成することと、投稿情報を表示することであって、投稿情報を表示した画面は、ユーザがコードを生成することを求める入力をユーザ装置に入力するための領域を含む、ことと、入力を受信することと、入力を受信したことに応答して、コードを生成することであって、コードは、投稿情報にアクセスするためのアドレスを少なくとも表す、ことと、コードを出力することとを少なくとも実行することをプロセッサ部に行わせる。
2019167698.tif 000002
【特許請求の範囲】
【請求項１】
投稿アプリケーションのためのプログラムであって、前記プログラムは、前記ユーザによって使用されるユーザ装置において実行され、前記ユーザ装置は、プロセッサ部を備え、
前記プログラムは、
投稿の内容を表す投稿情報を生成することと、
前記投稿情報を表示することであって、前記投稿情報を表示した画面は、前記ユーザがコードを生成することを求める入力を前記ユーザ装置に入力するための領域を含む、ことと、
前記入力を受信することと、
前記入力を受信したことに応答して、前記コードを生成することであって、前記コードは、前記投稿情報にアクセスするためのアドレスを少なくとも表す、ことと、
前記コードを出力することと
を少なくとも実行することを前記プロセッサ部に行わせる、プログラム。
【請求項２】
前記ユーザ装置は、ネットワークを介してサーバ装置に接続されており、前記サーバ装置は、格納装置に接続されており、
前記プログラムは、
前記投稿情報を前記格納装置内に格納するために、前記投稿情報を前記ネットワークを介して前記サーバ装置に送信することと、
前記格納装置内に格納された前記投稿情報の位置を示すアドレスを前記サーバ装置から前記ネットワークを介して受信することと
をさらに実行することを前記プロセッサ部に行わせ、
前記コードを生成することは、前記格納装置内に格納された前記投稿情報の位置を示すアドレスを少なくとも表すコードを生成することによって達成される、請求項１に記載のプログラム。
【請求項３】
前記ユーザ装置は、メモリ部をさらに備え、
前記プログラムは、
前記投稿情報を前記ネットワークを介して前記サーバ装置に送信する前に、前記投稿情報を前記メモリ部に格納すること
をさらに実行することを前記プロセッサ部に行わせる、請求項２に記載のプログラム。
【請求項４】
前記ユーザ装置は、メモリ部をさらに備え、
前記プログラムは、
前記サーバ装置から受信したアドレスを前記メモリ部に格納すること
をさらに実行することを前記プロセッサ部に行わせる、請求項２に記載のプログラム。
【請求項５】
前記投稿情報は、動画を含み、
前記プログラムは、
前記動画に基づいて、前記動画のサムネイル静止画を生成することと、
前記コードと前記サムネイル静止画とを合成することにより、合成された静止画を生成することと、
前記合成された静止画を出力することと
をさらに実行することを前記プロセッサ部に行わせ、
前記コードを出力することは、前記合成された静止画を出力することによって達成される、請求項１〜４のいずれか一項に記載のプログラム。
【請求項６】
前記投稿情報は、前記動画を再生する前に前記ユーザが前記動画の内容を把握することを助けるための追加情報をさらに含み、
前記合成された静止画は、前記追加情報をさらに含む、請求項５に記載のプログラム。
【請求項７】
前記投稿情報を生成することは、所定の入力フォームに従って前記ユーザが前記投稿の内容を前記ユーザ装置に入力することを可能にすることと、前記投稿の内容に基づいて前記投稿情報を生成することとを含む、請求項１〜６のいずれか一項に記載のプログラム。
【請求項８】
前記コードは、ＱＲコードを含む、請求項１〜７のいずれか一項に記載のプログラム。
【発明の詳細な説明】
【技術分野】
【０００１】
本発明は、投稿アプリケーションのためのプログラムに関する。
【背景技術】
【０００２】
従来から、ホームページ、ブログやＦａｃｅｂｏｏｋなどのページのＵＲＬをＱＲコード（登録商標）にしてチラシなどに載せておき、そのＱＲコードを読み込むことによって容易にホームページ等にアクセスすることを可能にする技術が知られている。
【発明の概要】
【発明が解決しようとする課題】
【０００３】
上述した従来の技術によれば、ＱＲコードを読み込むことによって目的のホームページに容易にアクセスすることを可能にするが、そのホームページを訪れた人がそのホームページの内容を他の人に容易に拡散することを可能にする機能は考慮されていなかった。【０００４】
本発明は、ある投稿を読んだ人がその投稿の内容を他の人に容易に拡散することを可能にする投稿アプリケーションのためのプログラムを提供することを目的とする。
【課題を解決するための手段】
【０００５】
本発明の１つの局面において、本発明のプログラムは、投稿アプリケーションのためのプログラムであり、前記プログラムは、前記ユーザによって使用されるユーザ装置において実行され、前記ユーザ装置は、プロセッサ部を備え、前記プログラムは、投稿の内容を表す投稿情報を生成することと、前記投稿情報を表示することであって、前記投稿情報を表示した画面は、前記ユーザがコードを生成することを求める入力を前記ユーザ装置に入力するための領域を含む、ことと、前記入力を受信することと、前記入力を受信したことに応答して、前記コードを生成することであって、前記コードは、前記投稿情報にアクセスするためのアドレスを少なくとも表す、ことと、前記コードを出力することとを少なくとも実行することを前記プロセッサ部に行わせる。【０００６】
本発明の１つの実施形態において、前記投稿情報は、動画を含み、前記プログラムは、前記動画に基づいて、前記動画のサムネイル静止画を生成することと、前記コードと前記サムネイル静止画とを合成することにより、合成された静止画を生成することと、前記合成された静止画を出力することとをさらに実行することを前記プロセッサ部に行わせ、前記コードを出力することは、前記合成された静止画を出力することによって達成されてもよい。【０００７】
本発明の１つの実施形態において、前記投稿情報を生成することは、所定の入力フォームに従って前記ユーザが前記投稿の内容を前記ユーザ装置に入力することを可能にすることと、前記投稿の内容に基づいて前記投稿情報を生成することとを含んでいてもよい。【０００８】
本発明の１つの実施形態において、前記コードは、ＱＲコードを含んでいてもよい。
【発明の効果】
【０００９】
本発明によれば、ある投稿を読んだ人がその投稿の内容を他の人に容易に拡散することを可能にする投稿アプリケーションのためのプログラムを提供することが可能である。
【図面の簡単な説明】
【００１０】
【図１Ａ】ユーザ装置に表示される画面１００を示す図
【図１Ｂ】ユーザ装置に表示される画面１１０を示す図
【図１Ｃ】ユーザ装置に表示される画面１１０を示す図
【図１Ｄ】ユーザ装置に表示される画面１１０を示す図
【図１Ｅ】ユーザ装置に表示される画面１１０を示す図
【図１Ｆ】ユーザ装置に表示される画面１２０を示す図
【図１Ｇ】ユーザ装置に表示される画面１２０を示す図
【図１Ｈ】ユーザ装置に表示される画面１３０を示す図
【図１Ｉ】ユーザ装置に表示される画面１４０を示す図
【図１Ｊ】ユーザ装置に表示される画面１５０を示す図
【図１Ｋ】ユーザ装置に表示される画面１５０を示す図
【図１Ｌ】ユーザ装置に表示される画面１６０を示す図
【図２】ユーザが投稿することを実現するためのコンピュータシステム２００の構成を示す図
【図３Ａ】格納装置２３０内に格納されている情報の構成の一例を示す図
【図３Ｂ】投稿情報の構成の一例を示す図
【図４】ユーザの関心事を投稿するための処理のフローの一例を示す図
【図５】コードを生成するための処理のフローの一例を示す図
【発明を実施するための形態】
【００１１】
１．投稿アプリケーション
本発明は、ユーザによって使用されるユーザ装置に実装される投稿アプリケーションを提供する。ここで、ユーザ装置とは、スマートフォン、タブレット、パーソナルコンピュータなどの任意のタイプの情報処理装置をいう。この投稿アプリケーションがユーザ装置に実装されると、ユーザは、ユーザ装置を用いて、さまざまな内容の記事（例えば、オススメの食事のレポート、オススメのお店の紹介、旅の工程を記録した日記、特定の１つの地域内での回遊経路、複数の地域間での回遊経路、伝統工芸品の紹介などの記事）を投稿することが可能である。
【００１２】
このアプリケーションが提供する機能の一例は、以下に示すとおりであるが、これらに限定されない。
・「かんたん投稿機能」
・「コード生成機能」
・「旅日記機能」
【００１３】
１．１  「かんたん投稿機能」
「かんたん投稿機能」とは、投稿者が簡単に投稿することを可能にする機能である。投稿者が、ユーザ装置に実装されている投稿アプリケーションを起動すると（例えば、投稿者が、投稿アプリケーションのアイコンをタップすると）、投稿者は、投稿者の関心事を投稿するための所定の入力フォームに従って記事を入力するように誘導される。例えば、投稿者は、その所定の入力フォームに従って、動画、説明文、位置情報、マップの順序で投稿の内容を入力するように誘導される。このように、投稿アプリケーションが、どのような順番でどのような内容を入力すればよいかを誘導してくれることにより、投稿者は、投稿アプリケーションを利用して簡単に投稿することが可能になる。これにより、投稿する際の投稿者の負担を軽減することが可能である。さらに、投稿者が、投稿者の関心事を投稿するための所定の入力フォームに従って記事を入力する際に、記事の一部が自動的に入力されるようにしてもよい。例えば、投稿者がその所定の入力フォームに従ってお店の位置情報を入力すると、その位置情報に対応するマップが自動的に表示されるようにしてもよい。投稿者は、投稿の内容を閲覧するための投稿情報閲覧画面において投稿の内容を確認することが可能である。
【００１４】
また、ユーザは、投稿アプリケーションの「かんたん投稿機能」を利用して投稿された複数の投稿に基づいて、簡単に日記をつけることが可能である。例えば、ユーザは、投稿アプリケーションを利用して、日常的な出来事の記録、旅の工程の記録などを日記のように行うことが可能である。また、ユーザは、投稿アプリケーションの「かんたん投稿機能」を利用して、作成した日記を投稿することも可能である。これにより、日記の内容を他人に簡単にシェアすることが可能である。
【００１５】
１．２  「コード生成機能」
「コード生成機能」とは、投稿が掲載されたページのアドレスを少なくとも表すコードを生成することを可能にする機能である。ここで、コードは、任意のコードであり得る。例えば、コードは、一次元のコード（例えば、バーコード）であってもよいし、二次元コード（例えば、ＱＲコード）であってもよい。例えば、投稿者は、投稿アプリケーションを利用して、ある投稿に対してあるコードを生成することが可能であり、別の投稿に対して別のコードを生成することが可能である。このように、コードは、投稿ごとに生成され、ある投稿に対して生成されたコードと別の投稿に対して生成されたコードとが区別されることが可能な態様で出力される（例えば、コードは、ユーザ装置上に表示され、または、プリンタから出力される）。このコードを投稿者以外の人に配信または配布することによって、そのコードに関連付けられた投稿を拡散することが可能である。なぜなら、投稿者以外の人が、コード読み取りアプリケーションを利用して、そのコードを読み取ることにより、そのコードに関連付けられた投稿を閲覧することが可能であり、その投稿者以外の人が、投稿アプリケーションを利用して、その投稿に対してコードを生成し、そのコードをその投稿者以外の人とは異なる人にさらに配信または配布することによって、そのコードに関連付けられた投稿をさらに拡散することが可能であるからである。このように、コードの生成→投稿の閲覧→コードの生成→投稿の閲覧→・・・を繰り返すことにより、投稿者による投稿を投稿者以外の人に連鎖的に拡散することが可能である。
【００１６】
１．３  「旅日記機能」
「旅日記機能」とは、一連の出来事を複数のステップにまとめて記録することを可能にする機能である。例えば、ユーザは、投稿アプリケーションを利用して、そのユーザ自身が旅して回った各地点を各ステップで表現することにより、その旅を一連の出来事としてまとめて記録することが可能である。ユーザが、各ステップにおいて位置情報を入力し、旅という一連の出来事における位置の遷移がマップ上で確認することが可能であるようにしてもよい。あるいは、例えば、ユーザは、投稿アプリケーションを利用して、ある観光スポットから短時間で移動可能な一連のスポットを各ステップで表現することにより、その観光スポットからの回遊経路を一連の出来事としてまとめて記録することが可能である。ユーザが、各ステップにおいて位置情報を入力し、その観光スポットからの回遊経路という一連の出来事における位置の遷移がマップ上で確認することが可能であるようにしてもよい。あるいは、例えば、ユーザは、投稿アプリケーションを利用して、伝統工芸品が材料から製作されるまでを各ステップで表現することにより、伝統工芸品の製作過程を一連の出来事としてまとめて記録することが可能である。
【００１７】
また、「コード生成機能」を用いて、「旅日記機能」を用いて記録した一連の出来事のコードを生成することが可能である。これにより、別のユーザは、コード読み取りアプリケーションを利用して、生成されたコードを読み取ることにより、記録された一連の出来事を閲覧することが可能である。例えば、観光スポットからの回遊経路をまとめて記録した一連の出来事のコードをその観光スポットに設置することにより、その観光スポットに訪れてコードを読み取ったユーザを、その観光スポットから回遊できる一連のスポットへ誘導することが可能である。あるいは、例えば、伝統工芸品の製作過程をまとめて記録した一連の出来事のコードを、店頭に並んでいるその伝統工芸品に隣接して設置することにより、その店頭を訪れてその伝統工芸品に興味を抱いたユーザに、伝統工芸品の詳細（例えば、その伝統工芸品の歴史、製法、特徴、魅力など）を提供することが可能である。
【００１８】
以下、図面を参照しながら、本発明の実施の形態を説明する。なお、以下の説明では、投稿者および投稿者以外の人を含めてユーザ装置を使用する人を「ユーザ」という。
【００１９】
図１Ａは、ユーザ装置に表示される画面１００を示す。画面１００は、ユーザがユーザ装置（例えば、スマートフォン、タブレット、パーソナルコンピュータなど）を使用して本発明の投稿アプリケーションを起動した際に表示されるトップ画面の一例である。図１Ａに示される例では、画面１００は、投稿の内容を表すサムネイル画像を表示するためのサムネイル画像領域１０１およびサムネイル画像領域１０１’と、アイコン領域１０２とを備える。
【００２０】
サムネイル画像領域１０１内の各サムネイル画像は、選択可能なように構成されている。サムネイル画像が選択されることにより、画面１００は、選択されたサムネイル画像に対応する投稿情報を閲覧するための投稿情報閲覧画面（例えば、図１Ｆを参照）に遷移することができる。アイコン領域１０２は、選択可能な１つ以上のアイコンを有する。図１Ａに示される例では、アイコン領域１０２は、画面１００のトップ画面を表示するためのトップアイコン「精彩」と、投稿情報を検索するための検索アイコン「査找」と、投稿情報を投稿するための投稿アイコン「分享」と、日記を作成、閲覧、更新するための日記アイコン「出行」と、個人設定を行うための設定アイコン「我的」とを含む。
【００２１】
なお、図１Ａに示される例では、サムネイル画像領域１０１およびサムネイル画像領域１０１’の２つがサムネイル画像領域として画面１００に表示されているが、表示されるサムネイル画像領域の数は２つに限定されない。表示されるサムネイル画像領域の数は、１つ以上の任意の数であり、ユーザ操作（例えば、縦のスクロール操作、横のスワイプ操作）により他のサムネイル画像領域が表示され得る。
【００２２】
図１Ｂ〜図１Ｅは、ユーザ装置に表示される画面１１０を示す。画面１１０は、ユーザの関心事を投稿するための入力フォームの一部を示す画面の一例である。画面１１０は、図１Ａの画面１００に表示されている投稿アイコンが選択されることによって画面１００から遷移した画面である。図１Ｂ〜図１Ｅに示される例では、画面１１０は、動画を添付および表示するための動画領域１１１と、投稿の説明を入力するための説明入力領域１１２と、位置情報を入力するための位置情報領域１１３と、投稿のテーマを入力するためのテーマ入力領域１１４と、ユーザの関心事の関連情報を入力するための関連情報入力領域１１５と、マップ領域１１６と、投稿処理を実行するための投稿領域１１７と、入力した投稿内容を一時的な保存を実行するための一時保存領域１１８と、入力した投稿内容を破棄して投稿をキャンセルする処理を実行するためのキャンセル領域１１９とを含む。図１Ｂ〜図１Ｅに示される各画面は、縦のスクロール操作により、図１Ｂ、図１Ｃ、図１Ｄ、図１Ｅの順に画面が連続的に変化する。
【００２３】
図１Ｂに示される動画領域１１１には、投稿内容の一部として動画を添付することができる。添付される動画は、例えば、ユーザ装置に記録された動画であってもよいし、クラウド上に格納された動画であってもよい。動画領域１１１が選択されると、例えば、添付可能な動画の一覧表が表示され、ユーザは、表示された添付可能な動画の一覧表の中から、添付される動画を選択するようにしてもよい。あるいは、動画領域１１１が選択されると、ユーザ装置が備えるカメラ機能が起動し、そのカメラを用いて動画を撮影し、撮影された動画が動画領域１１１にそのまま添付されるようにしてもよい。あるいは、動画領域１１１が選択されると、ユーザ装置が備えるカメラ機能が起動し、そのカメラを用いて動画を撮影し、撮影された動画を編集し、編集された動画を動画領域１１１に添付するようにしてもよい。
【００２４】
なお、図１Ｂに示される動画領域１１１には、投稿内容の一部として複数の動画を添付することが可能であってもよい。動画領域１１１が選択されると、例えば、添付可能な動画の一覧表が表示され、ユーザは、表示された添付可能な動画の一覧表の中から、添付される複数の動画を選択し、複数の動画の再生順序を決定するようにしてもよい。あるいは、画領域１１１が選択されると、例えば、添付可能な動画の一覧表が表示され、ユーザは、表示された添付可能な動画の一覧表の中から、添付される複数の動画を選択することにより、複数の動画の選択順序が複数の動画の再生順序となるようにしてもよい。
【００２５】
図１Ｂに示される説明入力領域１１２は、投稿のタイトルを入力するためのタイトル入力領域と、投稿内容を説明するための説明文領域とを含む。図１Ｂに示される例では、タイトル入力領域に入力される文字数は３０字までという字数制限、および、説明文領域に入力される文字数は５００字までという字数制限が設けられているが、本発明はこれに限定されない。タイトル入力領域に入力される文字数および説明文領域に入力される文字数は、１以上の任意の数であってもよい。あるいは、タイトル入力領域に入力される文字数および説明文領域に入力される文字数に制限を設けないようにしてもよい。
【００２６】
図１Ｃに示される位置情報領域１１３は、ユーザの関心事の位置情報を入力するための領域である。位置情報領域１１３を選択すると、例えば、例えば、ユーザの関心事がお店の紹介である場合には、その位置情報は、お店の位置情報であり得る。例えば、ユーザの関心事が旅行の工程の紹介である場合には、その位置情報は、その旅行の各工程において紹介されたイベントの位置情報をつなぐ一連の位置情報であり得る。
【００２７】
図１Ｃに示されるテーマ入力領域１１４は、投稿内容のテーマを示す選択可能なテーマアイコンによって構成されている。テーマアイコンは、同時に複数選択可能であってもよいし、同時に１つのみ選択可能であってもよい。図１Ｃに示される例では、テーマアイコンの数は１２であるが、本発明はこれに限定されない。テーマアイコンの数は、１以上の任意の数であってもよい。
【００２８】
図１Ｄに示される関連情報入力領域１１５は、ユーザの関心事をさらに詳細に説明するための領域である。図１Ｄに示される例では、関連情報入力領域１１５は、店舗名／商品名／観光スポット名などを入力するための名称領域と、その特色を紹介するための特色領域と、営業時間／定休日を入力するための営業時間領域と、連絡先（例えば、電話番号）を入力するための連絡先領域と、住所を入力するための住所領域とを含む。図１Ｄに示される例では、名称領域に入力される文字数は３０字までという字数制限、特色領域に入力される文字数は５００字までという字数制限、営業時間領域に入力される文字数は１００字までという字数制限、連絡先領域に入力される文字数は３０字までという字数制限、住所領域に入力される文字数は５０字までという字数制限が設けられているが、本発明はこれに限定されない。名称領域に入力される文字数、特色領域に入力される文字数、営業時間領域に入力される文字数、連絡先領域に入力される文字数、住所領域に入力される文字数は、１以上の任意の数であってもよい。あるいは、これらの領域に入力される文字数に制限を設けないようにしてもよい。
【００２９】
図１Ｄ（および図１Ｅ）に示されるマップ領域１１６は、ユーザの関心事の位置情報をマップ上で視覚的に把握することを可能にする領域である。ユーザは、マップ領域１１６上の任意の点を選択することにより、マップ上にマークを付すことができる。
【００３０】
図１Ｅに示される投稿領域１１７が選択されると、各領域に入力された投稿内容に基づいて投稿情報が生成され、投稿情報がウェブサイトに投稿されることにより、ユーザの関心事の投稿が完了する。図１Ｅに示される一時保存領域１１８が選択されると、その一時保存領域１１８が選択されるまでに各領域に入力された投稿内容を一時的に（例えば、ユーザ装置に）保存することができる。図１Ｅに示されるキャンセル領域１１９が選択されると、キャンセル領域１１９が選択されるまでに各領域に入力された投稿内容を破棄し、投稿を終了することができる。
【００３１】
なお、図１Ｂ〜図１Ｅにおいて入力される情報のうち入力を必須とする情報が、予め設定されていてもよい。例えば、動画、位置情報、および、テーマ選択は必須の入力事項であってもよい。これにより、中身のない空白の投稿が行われることを防ぐことができる。
【００３２】
また、図１Ｃに示される位置情報領域１１３に位置情報を入力すると、その入力された位置情報に対応するマークが、図１Ｄに示されるマップ領域１１６に自動的に表示されるようにしてもよい。逆に、図１Ｄに示されるマップ領域１１６にマークを付すと、そのマークの位置に対応する位置情報が、図１Ｃに示される位置情報領域１１３に自動的に入力されるようにしてもよい。これにより、ユーザの投稿内容の入力の負担を軽減することができる。
【００３３】
また、上述した例では、図１Ｂ〜図１Ｅに示される各画面が縦のスクロール操作により図１Ｂ、図１Ｃ、図１Ｄ、図１Ｅの順に画面が連続的に変化すると説明したが、本発明はこれに限定されない。例えば、図１Ｂに示される動画領域１１１および説明入力領域１１２への入力が完了すると図１Ｂの画面から図１Ｃの画面に遷移し、図１Ｃに示される位置情報領域１１３およびテーマ入力領域１１４への入力が完了すると図１Ｃの画面から図１Ｄの画面に遷移し、図１Ｄに示される関連情報入力領域１１５への入力が完了すると図１Ｄの画面から図１Ｅの画面に遷移するようにしてもよい。
【００３４】
図１Ｆ〜図１Ｇは、ユーザ装置に表示される画面１２０を示す。画面１２０は、投稿の内容を表す投稿情報を閲覧するための投稿情報閲覧画面の一例である。画面１２０は、図１Ａの画面１００に示されるサムネイル画像領域１０１が選択されることによって画面１００から遷移した画面である。従って、画面１２０では、サムネイル画像領域１０１に対応する投稿情報を閲覧することが可能である。画面１２０は、投稿情報に含まれる動画を再生するための動画再生領域１２１と、コードを生成することを求めるためのコード生成領域１２２と、投稿情報の説明が表示される説明表示領域１２３と、アイコン表示領域１２４と、投稿情報の関連情報を表示するための関連情報表示領域１２５を含む。
【００３５】
動画再生領域１２１には、通常、投稿情報に含まれる動画のダイジェスト版が継続的に再生されていてもよい。動画再生領域１２１は、選択可能なように構成されている。ユーザは、動画再生領域１２１を選択すると、投稿情報に含まれる動画を閲覧することができる。
【００３６】
コード生成領域１２２は、選択可能なように構成されている。ユーザがコード生成領域１２２を選択すると、図１Ｈに示されるように、図１Ｆに示される画面１２０を表示するためのアドレスを表すコードがユーザ装置に表示される。
【００３７】
説明表示領域１２３には、図１Ｂに示される説明入力領域１１２、および、図１Ｃに示される位置情報領域１１３に入力された情報が反映される。アイコン表示領域１２４には、図１Ｃに示されるテーマ領域１１４に入力された情報が反映される。関連情報表示領域１２５には、図１Ｄに示される関連情報入力領域１１５およびマップ領域１１６に入力された情報が反映される。
【００３８】
図１Ｈは、ユーザ装置に表示される画面１３０を示す。画面１３０は、図１Ｆの画面１２０に示されるコード生成領域１２２が選択されることによって画面１２０から遷移した画面である。従って、画面１３０は、生成されたコードを表示している静止画を示す画面の一例である。図１Ｈに示される例では、画面１３０は、投稿情報に含まれる動画のサムネイル表示領域１３１と、テキスト表示領域１３２と、コード表示領域１３３と、位置情報表示領域１３４とを含む。
【００３９】
サムネイル表示領域１３１に表示されるサムネイルは、投稿情報に含まれる動画に基づいて生成されたものである。サムネイル表示領域１３１に表示されるサムネイルは、投稿情報に含まれる動画の１フレームを示すものであり得る。ユーザは、サムネイル表示領域１３１を見ることにより、動画を再生する前に動画の内容を簡単に把握することが可能である。
【００４０】
コード表示領域１３３には、コード生成領域１２２が選択されたことに応答して生成されたコードが表示されている。このコードは、投稿情報（あるいは、投稿情報が掲載されたページ）のアドレスを少なくとも表すものである。従って、ユーザ装置は、このコードを読み取ることによって、そのコードによって表されるアドレスを有する投稿情報（あるいは、投稿情報が掲載されたページ）にアクセスすることが可能である。その結果、ユーザ装置上の画面１２０（例えば、図１Ｆの画面１２０）には投稿情報が表示されることが可能である。
【００４１】
テキスト表示領域１３２には、投稿情報のタイトル、店名、説明文などが表示され、位置情報表示領域１３４には、投稿情報に含まれる位置情報が表示される。これにより、ユーザは、動画を再生する前に動画の内容をより多く把握することが可能である。従って、上述したサムネイル表示領域１３１に表示されるサムネイル、テキスト表示領域１３２に表示される情報、位置情報表示領域１３４に表示される情報は、動画を再生する前にユーザが動画の内容を把握することを助けるための追加情報の一例として挙げられる。また、動画を再生する前にユーザが動画の内容を把握することを助けるための追加情報の他の一例は、動画の再生時間情報である。図１Ｈに示される例では、画面１３０には「３０秒であなたの知らない日本を見つけてみましょう」というコメントが表示されており、このコメントの中の「３０秒」というテキストから動画の再生時間が３０秒程度であるということも把握することができる。このように、画面１３０には、動画を再生する前にユーザが動画の内容を把握することを助けるための追加情報（例えば、動画のサムネイル、動画の再生時間情報、投稿情報のタイトル、店名、説明文）がコード付近に表示されるため、ユーザは、コードだけでは分からない情報を取得することができる。広告宣伝などの情報拡散分野において、ユーザに提示される情報量が多いことは重要なことである。
【００４２】
なお、図１Ｈに示される例では、コードは、ロゴが中心に配置され、そのロゴの周りに放射状にコード情報が配置されるという既知のタイプのＱＲコードであるが、コード表示領域１３３に表示されるコードは、これに限定されない。コード表示領域１３３に表示されるコードは、任意のタイプのＱＲコードであってもよいし、ＱＲコード以外の任意の２次元コードであってもよいし、１次元コードであってもよい。
【００４３】
このように、図１Ｆに示されるように、誰もが閲覧することができる投稿情報閲覧画面にコード生成領域が設けられており、かつ、図１Ｈに関連して説明されたように、生成されたコードは電子的に容易に送信可能である。それ故、第１のユーザ装置において生成されたコードを受信した第２のユーザ装置は、そのコードを読み取ることにより、そのコードによって表されるアドレスを有する投稿情報（あるいは、投稿情報が掲載されたページ）にアクセスすることが可能であり、投稿情報（あるいは、投稿情報が掲載されたページ）にアクセスすることにより、投稿情報を表示することが可能であり、投稿情報を表示した画面（すなわち、投稿情報閲覧画面）においてコード生成領域を選択することにより、第２のユーザ装置においてもコードを生成することが可能である。従って、コードの送信元だけでなくコードの送信先においてもコード生成を行うことができるため、コードを用いて効率的に投稿情報を拡散することを実現することができる。このようにして、投稿情報へのアクセス手段を増大させることにより、その投稿情報へのアクセス数が増大し、ひいては、その投稿情報が表す投稿内容に説明されるお店などの宣伝効果が高まる。
【００４４】
図１Ｉは、ユーザ装置に表示される画面１４０を示す。画面１４０は、日記を作成、閲覧、更新するための画面の一例である。画面１４０は、図１Ａの画面１００に示される日記アイコンが選択された後に閲覧することが可能な画面である。画面１４０は、日記を追加するための日記追加領域１４１と、作成済みの日記を閲覧するための日記閲覧領域１４２を含む。
【００４５】
日記追加領域１４１および日記閲覧領域１４２は、選択可能なように構成されている。日記追加領域１４１が選択されることにより、日記を作成するための画面（図示せず）に遷移する。ユーザは、図１Ｂ〜図１Ｅに示された投稿の場合のユーザ操作と同様のユーザ操作により、日記を投稿するための所定の入力フォームに従って日記を作成することが可能である。これにより、ユーザの日記作成の負担を軽減することが可能である。日記閲覧領域１４２が選択されることにより、選択された日記閲覧領域１４２に表示されている作成済みの日記を閲覧することが可能である。なお、日記を投稿するための所定の入力フォーマットは、ユーザの関心事を投稿するための所定の入力フォーマットと一部または全部が異なり得る。
【００４６】
なお、図１Ｉに示される例では、画面１４０に表示される日記閲覧領域１４２の数は１つであるが、これに限定されない。表示される日記閲覧領域１４２の数は、作成済みの日記の数と同一であってもよいし、ユーザ操作（例えば、縦のスクロール操作、横のスワイプ操作）により他の日記閲覧領域が表示されるようにしてもよい。
【００４７】
図１Ｊおよび図１Ｋは、ユーザ装置に表示される画面１５０を示す。画面１５０は、一連の出来事をまとめた日記を新規に作成するための画面の一例である。画面１５０は、図１Ｉの画面１４０に示される日記追加領域１４１が選択されることによって図１Ｉの画面１４０から遷移した画面である。例えば、図１Ｊに示される画面を縦方向にスクロール操作をすることにより、図１Ｋに示される画面が表示される。図１Ｊおよび図１Ｋに示される例では、画面１５０は、一連の出来事の１つのステップの詳細を入力するためのステップ詳細領域１５１と、新しいステップを追加するためのステップ追加領域１５２と、一連の出来事のタイトルを入力するためのタイトル入力領域１５３と、一連の出来事をまとめた日記のサムネイルを選択するための表紙選択領域１５４と、一連の出来事の入力内容を記録するための記録領域１５５と、一連の出来事の入力内容を破棄するための破棄領域１５６とを含む。
【００４８】
ステップ詳細領域１５１には、各ステップに関する日付、画像（例えば、静止画、動画）、時間、地点名、位置情報（例えば、住所）などが入力されることが可能であり、ステップ詳細領域１５１に入力された内容が、一連の出来事をまとめた日記における１つのステップを構成する。ステップ追加領域１５２が選択されることにより、ステップ詳細領域１５１がさらに表示され、別のステップの内容を入力することを可能にする。ステップ詳細領域１５１ないし表紙選択領域１５４に適宜必要な入力を行った後に、記録領域１５５を選択することにより、一連の出来事を複数のステップでまとめた日記として、ステップ詳細領域１５１ないし表紙選択領域１５４に適宜入力された内容を記録することが可能である。
【００４９】
例えば、各ステップにおいて各観光スポットに関する情報を入力することにより、観光スポットからの回遊経路をまとめた一連の出来事を記録することが可能である。また、例えば、伝統工芸品が材料から製作されるまでを各ステップにおいて入力することにより、伝統工芸品の製作過程をまとめた一連の出来事を記録することが可能である。
【００５０】
図１Ｌは、ユーザ装置に表示される画面１６０を示す。画面１６０は、一連の出来事をまとめた日記を閲覧するための日記閲覧画面の一例である。画面１６０は、図１Ｉに示される日記閲覧領域１４２が選択されることによって図１Ｉの画面１４０から遷移した画面である。図１Ｌに示される例では、マップ領域１６１と、コードを生成することを求めるためのコード生成アイコン１６２と、一連の出来事がステップ形式で表現されたステップ表示領域１６３とを含む。
【００５１】
ステップ表示領域１６３には、ステップ詳細領域１５１に入力された内容が表示される。ステップ追加領域１５２を選択することにより複数のステップ詳細領域１５１に内容を入力した場合には、ステップ表示領域１６３には、ステップ詳細領域１５１のそれぞれに入力された内容が複数のステップで表示される。
【００５２】
ステップ詳細領域１５１のそれぞれには、位置情報（例えば、住所）が入力されるため、マップ領域１６１には、ステップ詳細領域１５１のそれぞれの位置情報に対応する位置マーカがマップ上に表示される。位置マーカのそれぞれは、図１Ｌに示されるように、直線で結ばれるように表示されてもよい。あるいは、ユーザ装置のＧＰＳ機能を用いてユーザ装置の位置をトラッキングすることにより、位置マーカのそれぞれは、トラッキング経路を示した線で結ばれるように表示されてもよい。
【００５３】
コード生成アイコン１６２は、選択可能なように構成されている。ユーザがコード生成アイコン１６２を選択すると、図１Ｈに示されるように、図１Ｌに示される画面１６０を表示するためのアドレスを表すコードが生成されてユーザ装置に表示される。上述したように、このような生成されたコードは、電子的に容易に送信可能であり、それ故、第１のユーザ装置において生成されたコードを受信した第２のユーザ装置は、そのコードを読み取ることにより、そのコードによって表されるアドレスを有する一連の出来事をまとめた日記（あるいは、一連の出来事をまとめた日記が掲載されたページ）にアクセスすることが可能であり、一連の出来事をまとめた日記（あるいは、一連の出来事をまとめた日記が掲載されたページ）にアクセスすることにより、一連の出来事をまとめた日記を表示することが可能であり、一連の出来事をまとめた日記を表示した画面（すなわち、日記閲覧画面）においてコード生成アイコンを選択することにより、第２のユーザ装置においてもコードを生成することが可能である。従って、コードの送信元だけでなくコードの送信先においてもコード生成を行うことができるため、一連の出来事をまとめた日記をコードを用いて効率的に拡散することを実現することができる。
【００５４】
このように、本発明の投稿アプリケーションは、例えば、観光地等の地域の活性化に役立てることが可能である。地域の管理者／責任者が本発明の投稿アプリケーションを使用する場合、その地域の管理者／責任者が、例えば、ユーザ装置を用いて、各観光スポットの画像を用いた各観光スポットの回遊情報のコードを生成し、その生成されたコードを印刷した紙媒体、または、その生成されたコードを受信して表示した表示装置（例えば、タブレット端末、電子ペーパー）を観光スポットに設置すると、その設置場所を訪れたユーザ（すなわち、観光客）は、ユーザ装置を用いてコードを読み取り、各観光スポットの回遊情報を閲覧し、現在訪れている観光スポットから短時間で移動可能な別の様々なスポットの存在を知ることが可能である。すなわち、その地域の管理者／責任者は、本発明の投稿アプリケーションを用いて短時間で移動可能な別の様々なスポットの存在をユーザ（観光客）に知らしめることにより、ある観光スポットから別の様々なスポットへユーザ（観光客）を誘導することが可能である。それに加えて、そのユーザ（観光客）が、本発明の投稿アプリケーションを用いて、読み取った回遊情報からコードを生成してその生成されたコードを別のユーザ（例えば、友人）に送信することにより、別の様々なスポットへの回遊情報を拡散することが可能である。これにより、他のユーザ（観光客）にあまり知られていないスポットに別のユーザ（例えば、友人）を誘導することが可能であり、この結果、多くのユーザ（観光客）が特定の観光スポットに集中し続けるという問題を解消することが可能である。
【００５５】
また、本発明の投稿アプリケーションは、例えば、接客ツールとして利用されることも可能である。お店の店員が本発明の投稿アプリケーションを使用する場合、その店員は、例えば、ユーザ装置を用いて、店内の商品紹介に関する投稿情報のコードを生成し、その生成されたコードを印刷した紙媒体、または、その生成されたコードを受信して表示した表示装置（例えば、タブレット端末、電子ペーパー）を、その投稿情報によって紹介されている商品に隣接して設置することにより、その設置場所を訪れたユーザ（すなわち、お店の利用客）は、ユーザ装置を用いてコードを読み取り、商品紹介の動画を閲覧し、その商品の詳細を知ることが可能である。例えば、その商品が伝統工芸品である場合には、ユーザは、商品紹介の動画を閲覧することにより、その伝統工芸品の詳細（例えば、その伝統工芸品の歴史、製法、特徴、魅力など）を知ることが可能である。すなわち、お店の店員は、店頭では表現しきれないその商品の詳細を動画でユーザ（お店の利用客）に知らしめることにより、そのユーザ（お店の利用客）の購買意欲をかき立てることが可能である。それに加えて、そのユーザ（お店の利用客）が、本発明の投稿アプリケーションを用いて、読み取った投稿情報からコードを生成してその生成されたコードを別のユーザ（例えば、友人）に送信することにより、その商品の詳細情報を拡散することが可能である。これにより、例えば、伝統工芸品に興味を持つユーザが増大し、ひいては、伝統工芸品の担い手の数の増大に寄与することが可能である。
【００５６】
このように、本発明の投稿アプリケーションによれば、オンラインのアクション（例えば、本発明の投稿アプリケーションを用いて生成されたコードの送信）とオフラインのアクション（例えば、現地（例えば、観光スポット、店頭）に設置されたコードの読み取り）とを結び付けるツールをユーザ（例えば、観光地域の管理者／責任者、観光客、お店の店員、お店の利用客）に提供することが可能である。これにより、コードの読み取りによって閲覧可能な投稿情報を活用して、現地（例えば、観光スポット、お店）の魅力を最大限に引き出すことが可能である。
【００５７】
２．コンピュータシステムの構成
図２は、ユーザが投稿することを実現するためのコンピュータシステム２００の構成を示す。
【００５８】
図２に示される例では、コンピュータシステム２００は、少なくとも１つのユーザ装置２１０１〜２１０Ｎと、投稿可能なウェブサイトを提供するウェブサイト管理装置２２０と、格納装置２３０とを備える。少なくとも１つのユーザ装置２１０１〜２１０Ｎおよびウェブサイト管理装置２２０は、インターネット２４０を介して格納装置２３０にアクセスすることが可能なように構成されている。
【００５９】
少なくとも１つのユーザ装置２１０１〜２１０Ｎのそれぞれは、携帯電話、スマートフォン、タブレット端末、スマートグラス、スマートウォッチ端末等の携帯無線端末であることが好ましい。
【００６０】
ユーザ装置２１０１は、インターネット２４０を介してデータ通信を行うインターフェース部２１１と、１つ以上のＣＰＵ（Ｃｅｎｔｒａｌ  Ｐｒｏｃｅｓｓｉｎｇ  Ｕｎｉｔ）を含むプロセッサ部２１２と、メモリ部２１３とを有している。ただし、ユーザ装置２１０１は、スマートフォン等の携帯無線端末に限定されず、デスクトップＰＣ、ラップトップＰＣ、ノートＰＣ等のパーソナルコンピュータであってもよい。なお、ユーザ装置２１０２〜２１０Ｎの構成は、ユーザ装置２１０１の構成と同一であるため、ここではその説明を省略する。
【００６１】
ユーザ装置２１０１〜２１０Ｎには、オペレーションシステム（ＯＳ）等の基本プログラムのほかに、投稿アプリケーションのためのプログラム（クライアントアプリ）がインストールされている。あるいは、ユーザ装置２１０１〜２１０Ｎは、Ｗｅｂブラウザの組み込みプログラム又は追加プログラムを利用することができる。この場合、ユーザ装置２１０１〜２１０Ｎは、アプリケーションプログラムをインストールすることなくＷｅｂブラウザ上でサービスを利用することが可能である。
【００６２】
メモリ部２１３には、処理を実行するために必要とされるプログラムやそのプログラムを実行するために必要とされるデータ等が格納されている。ここで、プログラムをどのようにしてメモリ部２１３に格納するかは問わない。例えば、プログラムは、メモリ部２１３にプリインストールされていてもよい。あるいは、プログラムは、インターネット２４０などのネットワークを経由してダウンロードされることによってメモリ部２１３にインストールされるようにしてもよいし、光ディスクやＵＳＢなどの記憶媒体を介してメモリ部２１３にインストールされるようにしてもよい。プロセッサ部２１２は、メモリ部２１３に格納されているプログラムを読み出し、そのプログラムを実行する。これにより、ユーザ装置２１０１〜２１０Ｎをコンピュータシステム２００の一部を構成する装置として機能させることが可能である。
【００６３】
ウェブサイト管理装置２２０は、投稿可能なウェブサイトを運営・管理する情報処理装置である。
【００６４】
格納装置２３０は、投稿情報を格納するための装置である。ユーザ装置２１０１からウェブサイト管理装置２２０のウェブサイトに投稿された投稿情報は、格納装置２３０内に格納される。
【００６５】
図３Ａは、格納装置２３０内に格納されている情報の構成の一例を示す。
【００６６】
格納装置２３０には、ユーザを識別するための情報（例えば、ユーザＩＤ）が格納されている。格納装置２３０には、ユーザＩＤに関連付けられた状態で、例えば、ユーザ設定情報、投稿情報がさらに格納されている。
【００６７】
図３Ｂは、投稿情報の構成の一例を示す。
【００６８】
投稿情報は、投稿情報を識別するための情報（例えば、投稿情報ＩＤ）によって識別されることが可能である。投稿情報は、ユーザを識別するための情報（例えば、ユーザＩＤ）に関連付けられている。格納装置２３０には、投稿情報ＩＤに関連付けられた状態で、例えば、動画情報（例えば、動画データ、動画の再生時間）、テキスト、位置情報、マップ情報がさらに格納されている。
【００６９】
なお、上述した実施例では、投稿情報が格納装置２３０に格納されていることを説明したが、本発明はこれに限定されない。投稿情報は、例えば、ユーザ装置２１０１のメモリ部２１３に記憶されている情報であってもよいし、クラウドに格納されている情報であってもよいし、格納装置以外の装置に格納されている情報であってもよい。
【００７０】
３．プログラムによる処理
図４は、ユーザの関心事を投稿するための処理のフローの一例を示す。この処理は、本発明のプログラムがユーザ装置２１０１のプロセッサ部２１２において実行されることにより、プロセッサ部２１２によって実行される処理である。以下、図４に示される各ステップを詳しく説明する。
【００７１】
ステップＳ４０１：投稿するための入力フォームの出力を求める入力を受信する。このステップは、例えば、図１Ａの画面１００に示される投稿アイコンが選択されたことに対応する。
【００７２】
ステップＳ４０２：投稿するための入力フォームの出力を求める入力を受信したことに応答して、入力フォームを出力する。これにより、ユーザは所定の入力フォームに従って投稿内容（すなわち、ユーザの関心事）をユーザ装置に入力することが可能になる。この入力フォームの一例は、図１Ｂ〜図１Ｅに示される入力フォームである。
【００７３】
ステップＳ４０３：入力された投稿内容を投稿することを求める入力を受信したか否かを判定する。このステップは、例えば、図１Ｅに示される投稿領域１１７が選択されることに対応する。この判定結果が「Ｙｅｓ」である場合には、処理はステップＳ４０４に進み、判定結果が「Ｎｏ」である場合には、処理はステップＳ４０３に戻る。
【００７４】
ステップＳ４０４：入力された投稿内容を投稿することを求める入力を受信したことに応答して、入力された投稿内容に基づいて、投稿内容を表す投稿情報を生成する。この投稿情報は、例えば、図１Ｆに示される画面１２０に表された情報である。従って、この投稿情報は、例えば、動画、テキスト、位置情報、マップを含む。
【００７５】
ステップＳ４０５：ステップＳ４０４において生成された投稿情報をメモリ部２１３に格納する。従って、生成された投稿情報は、ユーザ装置２１０１においてメモリ部２１３から読み出し可能である。
【００７６】
ステップＳ４０６：ステップＳ４０４において生成された投稿情報をネットワークを介してウェブサイト管理装置２２０（サーバ装置）に送信する。これにより、ステップＳ４０４において生成された投稿情報をウェブサイト管理装置２２０のウェブサイトに投稿することが達成される。これにより、この投稿情報は、ウェブサイト上で閲覧可能な状態になる。ウェブサイト管理装置２２０に送信された投稿情報は、格納装置２３０内に格納され得る。
【００７７】
ステップＳ４０７：投稿情報にアクセスするためのアドレス（例えば、投稿情報が格納装置２３０内に格納されている場合には、格納装置２３０内に格納された投稿情報の位置を示すアドレス（例えば、ＵＲＬ））をウェブサイト管理装置２２０からネットワークを介して受信する。
【００７８】
ステップＳ４０８：ステップＳ４０７において受信したアドレスをメモリ部２１３内に格納する。これにより、必要に応じてそのアドレスをメモリ部２１３から読み出し可能であるため、コードを生成することを求める入力に応答してそのアドレスをメモリ部２１３から読み出すことによってコードを生成することが可能になる。
【００７９】
なお、入力された投稿内容を投稿することを求める入力を受信するまでに所定の入力フォームに入力された投稿内容は、ユーザ装置２１０１のメモリ部２１３内に自動的にまたは手動で一時的に格納されるようにしてもよい。所定の入力フォームに入力された投稿内容がメモリ部２１３内に一時的に格納されている場合には、ユーザ装置２１０１は、入力された投稿内容を投稿することを求める入力を受信したことに応答して、入力された投稿内容をメモリ部２１３から読み出し、読み出された投稿内容に基づいて投稿情報を生成してもよい。
【００８０】
また、ステップＳ４０５においてメモリ部２１３に格納された投稿情報は、一定時間経過後に自動的にメモリ部２１３内から消去されるようにしてもよいし、メモリ部２１３内に半永久的に格納されるようにしてもよいし、メモリ部２１３内に永久に格納されるようにしてもよい。同様に、ステップＳ４０８においてメモリ部２１３に格納されたアドレスもまた、一定時間経過後に自動的にメモリ部２１３内から消去されるようにしてもよいし、メモリ部２１３内に半永久的に格納されるようにしてもよいし、メモリ部２１３内に永久に格納されるようにしてもよい。
【００８１】
図５は、コードを生成するための処理のフローの一例を示す。この処理は、本発明のプログラムがユーザ装置２１０１のプロセッサ部２１２において実行されることにより、プロセッサ部２１２によって実行される処理である。以下、図５に示される各ステップを詳しく説明する。
【００８２】
ステップＳ５０１：コードを生成することを求める入力を受信する。このステップは、例えば、図１Ｆに示される投稿情報閲覧画面上のコード生成領域１２２が選択されたことに対応する。
【００８３】
ステップＳ５０２：コードを生成することを求める入力を受信したことに応答して、コードを生成する。生成されるコードは、ステップＳ５０１において選択されたコード生成領域１２２を含む投稿情報閲覧画面を表示するためのアドレス（すなわち、その投稿情報閲覧画面上に表示された投稿情報にアクセスするためのアドレス）を少なくとも表す。投稿情報が格納装置２３０内に格納されている場合には、生成されるコードは、格納装置２３０内に格納された投稿情報の位置を示すアドレス（例えば、ＵＲＬ）である。このコードは、例えば、図１Ｈに示されるようなＱＲコードである。
【００８４】
ステップＳ５０３：コードを生成することを求める入力を受信したことに応答して、投稿情報に含まれる動画に基づいて、その動画のサムネイル静止画を生成する。サムネイル静止画は、投稿情報に含まれる動画の１フレームであり得る。
【００８５】
ステップＳ５０４：ステップＳ５０３において生成されたコードと、ステップＳ５０４において生成されたサムネイル静止画とを合成する。これにより、合成された静止画が生成される。合成された静止画は、例えば、図１Ｈに示される画面１３０である。
【００８６】
ステップＳ５０５：ステップＳ５０４において生成された合成された静止画を出力する。このステップは、例えば、図１Ｈに示される画面１３０をユーザ装置に表示することに対応する。
【００８７】
なお、ステップＳ５０２の処理およびステップＳ５０３の処理は、それぞれの処理の一部が時間的に重複して実行され得る。これにより、ステップＳ５０４の合成処理までの時間の短縮を図ることが可能である。
【００８８】
あるいは、ステップＳ５０２の処理が完了した後にステップＳ５０３の処理が実行されるようにしてもよいし、ステップＳ５０３の処理が完了した後にステップＳ５０２の処理が実行されるようにしてもよい。
【００８９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００９０】
本発明は、ある投稿を読んだ人がその投稿の内容を他の人に容易に拡散することを可能にする投稿アプリケーションのためのプログラム等を提供するものとして有用である。
【符号の説明】
【００９１】
２１０１〜２１０Ｎ  ユーザ装置
２２０  ウェブサイト管理装置
２３０  格納装置
２４０  インターネット
【図１Ａ】
2019167698.tif 000003
【図１Ｂ】
2019167698.tif 000004
【図１Ｃ】
2019167698.tif 000005
【図１Ｄ】
2019167698.tif 000006
【図１Ｅ】
2019167698.tif 000007
【図１Ｆ】
2019167698.tif 000008
【図１Ｇ】
2019167698.tif 000009
【図１Ｈ】
2019167698.tif 000010
【図１Ｉ】
2019167698.tif 000011
【図１Ｊ】
2019167698.tif 000012
【図１Ｋ】
2019167698.tif 000013
【図１Ｌ】
2019167698.tif 000014
【図２】
2019167698.tif 000015
【図３Ａ】
2019167698.tif 000016
【図３Ｂ】
2019167698.tif 000017
【図４】
2019167698.tif 000018
【図５】
2019167698.tif 000019
【国際調査報告】
2019167698.tif 000020
2019167698.tif 000021